(57)【要約】【課題】１ページに複数のページの画像が含まれている原稿を容易且つ適切に取込んで利用することのできる技術を提供することにある。【解決手段】受付処理部１０ａが原稿の１ページに画像が含まれているページ数を受け付けて特定し、解像度決定部１０ｂが特定されたページ数に基づいて、スキャン機能部３により原稿の画像データを取込む際の取込解像度を決定し、画像処理制御部１０ｄが決定した取込解像度によってスキャン機能部３により原稿を読み込ませることにより、原稿に含まれている複数のページの各画像の画像データを取得し、取得した各画像の画像データにより画像ファイルを作成する画像処理をファイル処理機能部１０ｃに実行させる。【選択図】図１
2009194490.tif 000002
【特許請求の範囲】
【請求項１】
複数のページの画像を１ページに含む原稿の画像を画像データとして画像取込手段により取込み、当該画像データを用いて画像処理を行う画像処理装置において、
前記原稿の１ページに含まれている画像のページ数を特定するページ数特定手段と、
前記特定されたページ数に基づいて、前記画像取込手段により前記原稿の画像データを取込む際の取込解像度を決定する解像度決定手段と、
前記決定した取込解像度によって前記画像取込手段により前記原稿を取込ませることにより、前記原稿に含まれている前記複数のページの各画像の画像データを取得する画像取得制御手段と、
前記取得した前記各画像の画像データにより所定の画像処理を実行させる画像処理制御手段と
を有する画像処理装置。
【請求項２】
前記解像度決定手段は、原稿に含まれている画像のページ数が多いほど、高くなるように画像データを取込む際の前記解像度を決定する
請求項１に記載の画像処理装置。
【請求項３】
１ページの画像を１ページに含む原稿を取込む際の基準解像度を記憶する解像度記憶手段を更に有し、
前記解像度決定手段は、前記基準解像度と、前記原稿に含まれている前記画像の前記ページ数とに基づいて前記取込解像度を算出することにより決定する
請求項１又は請求項２に記載の画像処理装置。
【請求項４】
前記ページ数特定手段は、ユーザからの前記原稿に含まれている前記画像のページ数の指定により前記ページ数を特定する
請求項１乃至請求項３のいずれか一項に記載の画像処理装置。
【請求項５】
前記画像処理制御手段は、前記取得したページの各画像の画像データに基づいて、各画像データの画像がそれぞれ１ページとなる画像ファイルを作成させる
請求項１乃至請求項４のいずれか一項に記載の画像処理装置。
【請求項６】
前記複数のページの画像の順序を特定する順序特定手段を更に有し、
前記画像処理制御手段は、前記順序に従って前記画像データの画像のページが並ぶように画像ファイルを作成させる
請求項５に記載の画像処理装置。
【請求項７】
前記画像取得制御手段は、前記順序に従って、前記原稿の一部のページの画像の画像データを順次取込み、
前記画像処理制御手段は、前記順序に従って、取込んだ前記画像データにより前記画像ファイルにおける前記画像のページを作成する
請求項６に記載の画像処理装置。
【請求項８】
前記画像処理制御手段は、前記取得した各画像の画像データに基づいて、各画像データの画像をそれぞれ１ページの画像形成媒体に形成させる
請求項１乃至請求項４に記載の画像処理装置。
【請求項９】
前記複数のページの画像の順序を特定する順序特定手段を更に有し、
前記画像処理制御手段は各画像データの画像を前記順序に従って画像形成媒体に形成させる
請求項８に記載の画像処理装置。
【請求項１０】
前記画像取得制御手段は、前記順序に従って、前記原稿の一部のページの画像の画像データを順次取込み、
前記画像処理制御手段は、前記順序に従って、取込んだ前記画像データにより前記ページの画像を画像形成媒体に形成させる
請求項９に記載の画像処理装置。
【請求項１１】
複数のページの画像を１ページに含む原稿の画像を画像データとして画像取込手段により取込み、当該画像データを用いて画像処理を行う画像処理装置による画像処理方法において、
前記画像処理装置のページ数特定手段が、前記原稿に含まれている画像のページ数を特定するページ数特定ステップと、
前記画像処理装置の解像度決定手段が、前記特定されたページ数に基づいて前記画像取込手段により前記原稿を取込む際の取込解像度を決定する解像度決定ステップと、
前記画像処理装置の画像取得制御手段が、前記決定した取込解像度によって前記画像取込手段により前記原稿を取込ませることにより、前記原稿に含まれている前記複数のページの各画像の画像データを取得する画像取得制御ステップと、
前記画像処理装置の画像処理制御手段が、前記取得した画像データにより所定の画像処理を実行させる画像処理制御ステップと
を有する画像処理方法。
【発明の詳細な説明】
【技術分野】
【０００１】
本発明は、原稿の画像を画像データとして取込み、当該画像データを用いて画像処理を行う画像処理装置に関し、特に、１つのページ中に複数のページの画像が含まれている原稿の画像データを取込んで利用する技術に関する。
【背景技術】
【０００２】
従来、プリンタ機能、ファクシミリ機能、イメージスキャン機能等を有するＭＦＰ（Multi Function Printer）が知られている。このようなＭＦＰにおけるイメージスキャン機能においては、基本的には、スキャン対象の原稿（例えば、用紙）を１ページと認識し、当該１ページの画像の画像データを生成するようになっている。
【０００３】
近年、ＭＦＰ等においては、１ページ内に複数のページの画像を含ませて印刷することのできる印刷機能（所謂、Ｎｕｐ機能）を有するものが登場しており、１ページ内に複数のページの画像が含まれている原稿が頻繁に印刷されるようになってきている。
【０００４】
このように１ページに複数のページの画像が含まれている原稿をＭＦＰのイメージスキャナ機能により読み取ってファイルを作成する場合においては、複数のページの画像が１ページとされたファイルが作成されることとなる。
【０００５】
このように、複数のページが１ページとされたファイルにおいては、例えば、いずれかのページの間に新たなページを追加することが困難であり、また、ページ中の各ページの画像を閲覧する際には、かなりの拡大を行わなくては内容を認識できないという問題がある。
【０００６】
また、１ページに複数のページの画像が含まれている原稿をプリンタ機能により画像形成（印刷）する際においては、１ページに複数のページの画像が含まれるので、各ページの内容が小さくなってしまい見辛いという問題がある。
【０００７】
これに対して、１ページに複数のページの画像が含まれている原稿について、各ページの画像を１ページに拡大して印刷する画像形成装置が知られている（例えば、特許文献１）。
【０００８】
【特許文献１】特開平１１−１０３３８１号公報
【発明の開示】
【発明が解決しようとする課題】
【０００９】
特許文献１に記載された画像形成装置では、１ページに複数のページの画像が含まれている原稿を印刷する際には、１ページを画像データとして取込んで、その後、取込んだ画像データをページ毎の画像に分割し、それぞれの画像を拡大して１ページとして印刷している。これによって、１ページに含まれている複数ページ画像をそれぞれ１ページに印刷することができる。
【００１０】
しかしながら、このように印刷する場合において、例えば、原稿を取込む際の解像度が比較的低いと、印刷された画像が粗く小さな文字等はつぶれて判別できなくなることも起こり得る。一方、取込む際の解像度が高いと、処理に必要なメモリ量が増大するとともに、処理に長時間を要する問題がある。
【００１１】
本発明は、上記課題に鑑みなされたものであり、その目的は、１ページに複数のページの画像が含まれている原稿を容易且つ適切に取込んで利用することのできる技術を提供することにある。
【課題を解決するための手段】
【００１２】
上記目的達成のため、本発明の一実施形態に係る画像処理装置は、複数のページの画像を１ページに含む原稿の画像を画像データとして画像取込手段により取込み、当該画像データを用いて画像処理を行う画像処理装置において、原稿の１ページに含まれている画像のページ数を特定するページ数特定手段と、特定されたページ数に基づいて、画像取込手段により原稿の画像データを取込む際の取込解像度を決定する解像度決定手段と、決定した取込解像度によって画像取込手段により原稿を取込ませることにより、原稿に含まれている複数のページの各画像の画像データを取得する画像取得制御手段と、取得した各画像の画像データにより所定の画像処理を実行させる画像処理制御手段とを有する。
【００１３】
係る画像処理装置によると、特定されたページ数に基づいて、画像取込手段により原稿の画像データを取込む際の取込解像度を決定し、決定した取込解像度によって画像取込手段により原稿を取込んで、複数のページの各画像データを取得することができる。このため、１ページに含まれるページの画像の数に応じて適切な解像度の画像データを取得することができる。
【００１４】
また、上記画像処理装置において、解像度決定手段は、原稿に含まれている画像のページ数が多いほど、高くなるように画像データを取込む際の取込解像度を決定するようにしてもよい。係る画像処理装置によると、原稿に含まれている画像のページ数が多い、すなわち、原稿におけるページの画像が細かいほど、高い取込解像度で原稿の取込みが行われることとなり、細かい画像であっても詳細な画像データを取得することができる。
【００１５】
また、上記画像処理装置において、１ページの画像を１ページに含む原稿を取込む際の基準解像度を記憶する解像度記憶手段を更に有し、解像度決定手段は、基準解像度と、ページ数とに基づいて取込解像度を算出することにより決定するようにしてもよい。係る画像処理装置によると、基準解像度とページ数とを用いて容易且つ適切な取込解像度を算出して決定することができる。
【００１６】
また、上記画像処理装置において、ページ数特定手段は、ユーザからの原稿に画像が含まれているページ数の指定によりページ数を特定するようにしてもよい。係る画像処理装置によると、ユーザによる指定によってページ数を特定することができる。
【００１７】
また、上記画像処理装置において、画像処理制御手段は、取得したページの各画像の画像データに基づいて、各画像データの画像がそれぞれ１ページとなる画像ファイルを作成させるようにしてもよい。係る画像処理装置によると、１ページに含まれている各ページの画像について、画像ファイルにおける１ページとして使用することができる。
【００１８】
また、上記画像処理装置において、複数のページの画像の順序を特定する順序特定手段を更に有し、画像処理制御手段は、順序に従って画像データの画像のページが並ぶように画像ファイルを作成させるようにしてもよい。係る画像処理装置によると、複数のページをその順序に従って並べた画像ファイルを作成することができる。
【００１９】
また、上記画像処理装置において、画像取得制御手段は、順序に従って、原稿の一部のページの画像の画像データを順次取込み、画像処理制御手段は、順序に従って、取込んだ画像データにより画像ファイルにおける画像のページを作成するようにしてもよい。係る画像処理装置においては、原稿の一部のページを順次取込むようにしているので、必要なメモリ量を抑えることができる。
【００２０】
また、上記画像処理装置において、画像処理制御手段は、取得した各画像の画像データに基づいて、各画像データの画像をそれぞれ１ページの画像形成媒体に形成させるようにしてもよい。係る画像処理装置によると、各ページの画像をそれぞれ１ページの画像形成媒体に形成することができる。
【００２１】
また、上記画像処理装置において、複数のページの画像の順序を特定する順序特定手段を更に有し、画像処理制御手段は各画像データの画像を前記順序に従って画像形成媒体に形成させるようにしてもよい。係る画像処理装置によると、複数のページの画像をその順序に従って画像形成媒体に形成させることができる。
【００２２】
また、上記画像処理装置において、画像取得制御手段は、順序に従って、原稿の一部のページの画像の画像データを順次取込み、画像処理制御手段は、順序に従って、取込んだ前記画像データにより前記ページの画像を画像形成媒体に形成させるようにしてもよい。係る画像処理装置によると、原稿の一部のページを順次取込むようにしているので、必要なメモリ量を抑えることができる。
【００２３】
また、上記目的達成のため、本発明の一実施形態に係る画像処理方法は、複数のページの画像を１ページに含む原稿の画像を画像データとして画像取込手段により取込み、当該画像データを用いて画像処理を行う画像処理装置による画像処理方法において、前記画像処理装置のページ数特定手段が、前記原稿に含まれている画像のページ数を特定するページ数特定ステップと、前記画像処理装置の解像度決定手段が、前記特定されたページ数に基づいて前記画像取込手段により前記原稿を取込む際の取込解像度を決定する解像度決定ステップと、前記画像処理装置の画像取得制御手段が、決定した取込解像度によって画像取込手段により原稿を取込ませることにより、原稿に含まれている複数のページの各画像の画像データを取得する画像取得制御ステップと、画像処理装置の画像処理制御手段が、取得した画像データにより所定の画像処理を実行させる画像処理制御ステップとを有する。
【００２４】
係る画像処理方法によると、特定されたページ数に基づいて、画像取込手段により原稿の画像データを取込む際の取込解像度を決定し、決定した取込解像度によって画像取込手段により原稿を取込んで、複数のページの各画像データを取得することができる。このため、１ページに含まれるページの画像の数に応じて適切な解像度の画像データを取得することができる。
【発明を実施するための最良の形態】
【００２５】
本発明の実施形態について、図面を参照して説明する。なお、以下に説明する実施形態は特許請求の範囲にかかる発明を限定するものではなく、また実施形態の中で説明されている諸要素及びその組み合わせの全てが発明の解決手段に必須であるとは限らない。
【００２６】
まず、本発明の一実施形態にかかる画像処理装置の一例としての複合機を説明する。
【００２７】
図１は、本発明の一実施形態に係る複合機の構成図である。
【００２８】
複合機１は、制御ユニット２と、画像取込手段の一例としてのスキャン機能部３と、プリンタ機能部４と、ファクシミリ（ＦＡＸ）機能部５とを有する。
【００２９】
スキャン機能部３は、図示しない原稿給紙トレイに載置された紙、ＯＨＰシート等の原稿の画像を取り込んでデジタル形式の画像データを生成する。プリンタ機能部４は、例えば、紙、ＯＨＰシート、厚紙、封筒等の画像形成媒体に画像を形成する。ＦＡＸ機能部５は、電話回線網を介して、外部との間でのファクシミリデータ（ＦＡＸデータ）の送受信を行う。
【００３０】
制御ユニット２は、スキャン機能部３、プリンタ機能部４、又はＦＡＸ機能部５に対するユーザからの各種指示を受け付けるとともに、ユーザへの各種情報の出力を行う。
【００３１】
また、制御ユニット２は、スキャン機能部３、プリンタ機能部４、及びＦＡＸ機能部５の制御を行う。具体的には、制御ユニット２は、スキャン機能部３に取込動作を実行させる。また、制御ユニット２は、プリンタ機能部４に画像形成動作を実行させる。また、制御ユニット２は、ＦＡＸ機能部５にＦＡＸ送受信動作を実行させる。
【００３２】
次に、制御ユニット２のより詳細な構成について説明する。
【００３３】
制御ユニット２において、ＣＰＵ（Central Processing Unit）１０と、ＲＯＭ（Read Only Memory）１１と、ＲＡＭ（Random Access Memory）１２と、解像度記憶手段の一例としてのＥＥＰＲＯＭ（Electrically Erasable Programmable Read-Only Memory）１３と、入力インターフェース部（入力Ｉ／Ｆ部）１４と、表示処理部１５と、通信インターフェース部（通信Ｉ／Ｆ部）１６、１７、１８及び２０と、（Universal Serial Bus）インターフェース部（ＵＳＢＩ／Ｆ部）１９と、がバス２１を介して接続されている。
【００３４】
ＲＯＭ１１は、ブートプログラム等のプログラムを記憶する。ＲＡＭ１２は、プログラムやデータを記憶する領域として、或いは、ＣＰＵ１０による処理に使用しているデータを格納する作業領域として利用される。ＥＥＰＲＯＭ１３は、書き換え可能な不揮発性メモリであり、複合機１の電源が入っていない場合でも記憶しておく必要がある各種情報を記憶する。本実施形態では、例えば、１ページのみの画像が１ページに含まれている原稿に対して画像取込みを行う際に使用すべき基準となる解像度（基準解像度）を格納する。この基準解像度は、例えば、１ページのみの画像が１ページに含まれている原稿を読み取った際に、読み取られた画像データにより、適切にページの字等の内容が読める解像度（例えば、３００ｄｐｉ（dot per inch））となっている。なお、本実施形態では、基準解像度は、ユーザが任意に変更することができるようになっている。
【００３５】
入力Ｉ／Ｆ部１４には、キー部２２と、タッチパネル２３とが接続されている。入力Ｉ／Ｆ部１４は、キー部２２、タッチパネル２３からの信号をデータとして、ＣＰＵ１０に出力する。キー部２２は、制御ユニット２の図示しない筐体に設けられた、上キー、下キー、左キー、右キー、ＯＫキー、スタートキー、ストップキー、テンキー等を有し、押下されたキーに応じた信号を入力Ｉ／Ｆ部１４に出力する。タッチパネル２３は、後述する液晶表示装置（ＬＣＤ）２４上に重ねられて設けられており、ユーザによって押下されたタッチパネル２３上の位置に応じた信号を入力Ｉ／Ｆ部１４に出力する。表示処理部１５は、例えば、ＶＲＡＭ（Video Random Access Memory）を有し、ＣＰＵ１０の制御により、表示させる画面に応じた表示用画像データを生成し、ＬＣＤ２４に画面を表示出力させる。
【００３６】
通信Ｉ／Ｆ部１６は、ＣＰＵ１０とスキャン機能部３とのデータ交換の仲介を行う。通信Ｉ／Ｆ部１７は、ＣＰＵ１０とプリンタ機能部４とのデータ交換の仲介を行う。通信Ｉ／Ｆ部１８は、ＣＰＵ１０とＦＡＸ機能部５とのデータ交換の仲介を行う。通信Ｉ／Ｆ部２０は、ネットワークと接続可能であり、ネットワークを介して他の装置とのデータ交換の仲介を行う。ＵＳＢＩ／Ｆ部１９は、図示しないＵＳＢメモリとＣＰＵ１０とのデータ交換の仲介を行う。
【００３７】
ＣＰＵ１０は、各部１１〜２０の動作を制御する。また、ＣＰＵ１０は、ＲＯＭ１１に格納されているプログラムをＲＡＭ１２に読み出して実行することにより、ページ数特定手段及び順序特定手段の一例としての受付処理部１０ａと、解像度決定手段の一例としての解像度決定部１０ｂと、ファイル処理機能部１０ｃと、画像取得制御手段及び画像処理制御手段の一例としての画像処理制御部１０ｄとを構成する。
【００３８】
受付処理部１０ａは、キー部２２、タッチパネル２３に対するユーザの操作から各種指示を受ける。本実施形態では、受付処理部１０ａは、ユーザの操作を受け付けて、原稿の１ページに含まれている画像のページ数を特定する。また、受付処理部１０ａは、ユーザの操作を受け付けて、原稿中の複数のページの画像の順序を特定する。
【００３９】
解像度決定部１０ｂは、受付処理部１０ａにより特定されたページ数に基づいて、スキャン機能部３により原稿の画像データを取込む際の解像度（取込解像度）を決定する。本実施形態では、原稿に含まれる画像のページ数が多いほど、取り込む際の取込解像度が高くなるように決定する。具体的には、解像度決定部１０ｂは、ＥＥＰＲＯＭ１３に記憶されている基準解像度に、特定されたページ数の平方根（例えば、ページ数が２であれば、２１／２、ページ数が４であれば、４１／２＝２）を乗算することにより、取込解像度を決定している。
【００４０】
このようにページ数に応じて取込解像度を決定するのは、次のような理由からである。すなわち、１ページに１ページ分の画像しか含まれていない場合には、例えば、３００ｄｐｉで取り込むことにより、適切にその内容を把握することができる。一方、１ページに４ページ分の画像が含まれている場合に、同様の３００ｄｐｉで取込むとすると、各ページの画像を１ページに拡大する場合には、各ページの画像について、縦横の方向のそれぞれについて２倍に拡大する必要があり、この結果、得られた１ページにおける解像度は、１５０ｄｐｉとなってしまい、文字等がつぶれてしまって内容が把握できない可能性がある。そこで、各画像を１ページとした際に、各ページにおける解像度を低下させることなく鮮明な画像を得られるようにするために、上記したように、拡大することを考慮した取込解像度（例えば、１ページに４ページ分の画像がある場合には、３００×２＝６００ｄｐｉ）に決定しているのである。
【００４１】
なお、算出した結果が取込解像度として設定できないものであれば、その算出結果に近い、設定可能な解像度を取込解像度として決定する。また、スキャン機能部３の取込み可能な解像度には限度があるので、決定された解像度がスキャン機能部３の最大解像度を越える場合には、最大解像度を取込解像度として決定する。
【００４２】
ファイル処理機能部１０ｃは、画像処理制御部１０ｄからページの各画像の画像データを受け取り、各画像データの画像がそれぞれ１ページとなる画像ファイル（例えば、ＰＤＦ（Portable Document Format）ファイル）を作成する。この際、ファイル処理機能部１０ｃは、受付処理部１０ａが特定した順序に従って各画像データの画像のページが並ぶように画像ファイルを作成する。
【００４３】
画像処理制御部１０ｄは、複合機１における複数の処理の実行を制御する。例えば、画像処理制御部１０ｄは、スキャン機能部３を制御して、原稿の取込みを実行させて、原稿の画像データを受け取って、ＲＡＭ１２等に格納する。また、画像処理制御部１０ｄは、プリンタ機能部４を制御して、画像形成媒体に画像を形成させる。また、画像処理制御部１０ｄは、ＦＡＸ機能部５を制御して、電話回線を介してのＦＡＸデータの送受信を実行させる。また、画像処理制御部１０ｄは、ＵＳＢＩ／Ｆ部１９を介して、ＵＳＢメモリとの間のデータのやり取りを実行する。
【００４４】
また、画像処理制御部１０ｄは、解像度決定部１０ｂが決定した取込解像度によってスキャン機能部３により原稿の画像を取込ませることにより、原稿に含まれている複数のページの各画像の画像データを取得する。本実施形態では、例えば、画像処理制御装置１０ｄは、原稿の全面を一度に取り込んで画像データを生成し、その画像データを特定されているページ数に従って分割することにより、各ページの画像の画像データを取得する。
【００４５】
また、画像処理制御部１０ｄは、取得した各画像の画像データにより所定の画像処理を実行させる。具体的には、画像処理制御部１０ｄは、ファイル処理機能部１０ｃに取得したページの各画像の画像データを渡し、各ページの画像がそれぞれ１ページとなり、且つ、特定されている順序に従ってページが並ぶ画像ファイルを作成させる。また、画像処理制御部１０ｄは、プリンタ機能部４により、取得した各画像の画像データに基づいて、特定された順序に従って各画像データの画像をそれぞれ１ページの画像形成媒体に形成させる。
【００４６】
次に、本発明の一実施形態に係る複合機１の処理について説明する。
【００４７】
図２は、本発明の一実施形態に係る複合機の主処理のフローチャートである。図３は、本発明の一実施形態に係る複合機の表示画面を説明する図である。
【００４８】
主処理において、画像処理制御部１０ｄは、図３Ａに示すようなスキャン用画面３１を表示処理部１５によりＬＣＤ２４に表示させる（ステップＳ１）。
【００４９】
スキャン用画面３１には、基準解像度が表示される基準解像度表示領域３２と、基準解像度を変更する指示を受け付ける解像度変更ボタン３３と、スキャン対象の原稿におけるページのレイアウトを設定するレイアウト設定領域３４とが表示される。レイアウト設定領域３４には、画像取込み時にレイアウトの設定を使用するか否かを指定するためのレイアウトチェックボックス３５と、原稿の１ページに含まれている画像のページ数が２ページであることを設定するための２ページ用ラジオボタン３６と、原稿の１ページに含まれている画像のページ数が４ページであることを設定するための４ページ用ラジオボタン３７と、ページ順序を詳細に設定する指示を受け付けるページ順序詳細設定ボタン３８とが表示される。
【００５０】
次いで、受付処理部１０ａは、キー部２２等によるユーザの操作により、スキャン用画面３１のレイアウトチェックボックス３５に対する選択の指示があったか否かを判定し（ステップＳ２）、選択の指示があった場合には、レイアウトチェックボックス３５にチェックマークをセットし（ステップＳ３）、次のステップＳ４に進む一方、選択指示がない場合には、何もせずに次のステップＳ４に進む。
【００５１】
次いで、受付処理部１０ａは、キー部２２等によるユーザの操作により、スキャン用画面３１の２ページ用ラジオボタン３６、又は４ページ用ラジオボタン３７に対する選択があったか否かを判定し（ステップＳ４）、選択の指示があった場合には、対応するラジオボタンをセットし（ステップＳ５）、次のステップＳ６に進む一方、選択指示がない場合には、何もせずに次のステップＳ６に進む。
【００５２】
次いで、受付処理部１０ａは、キー部２２等によるユーザの操作により、ページ順序詳細設定ボタン３８に対する押下指示があったか否かを判定し（ステップＳ６）、押下指示があった場合（ステップＳ６：ＹＥＳ）には、図３Ｂに示すページ順序選択画面４１を表示処理部１５によりＬＣＤ２４に表示させる（ステップＳ７）。
【００５３】
ページ順序選択画面４１には、ページにおける各ページの順序を図示するページ順序表示領域４２、４４、４６、４８と、対応する順序を選択するためのページ順序ボタン４３、４５、４７、４９と、スキャン用画面３１の表示に戻るための戻るボタン５０とが表示される。例えば、ページ順序表示領域４２は、原稿における各ページの順序が左上→右上→左下→右下である、いわゆるＺオーダーを示している。
【００５４】
次いで、受付処理部１０ａは、キー部２２等によるユーザの操作により、いずれかのページ順序ボタン４３、４５、４７、４９に対する選択指示があったか否かを判定し（ステップＳ８）、選択指示があった場合（ステップＳ８：ＹＥＳ）には、選択されたページ順序ボタンをセットし、ステップＳ１０に進む一方、選択指示がない場合には、ステップＳ１０に進む。
【００５５】
次いで、受付処理部１０ａは、キー部２２等によるユーザの操作により、戻るボタン５０に対する押下指示があったか否かを判定し（ステップＳ１０）、押下指示があった場合（ステップＳ１０：ＹＥＳ）には、ステップＳ１に戻る一方、押下指示がない場合には、ステップＳ７に戻る。
【００５６】
一方、ステップＳ６で詳細ボタン３８が押下されていないと判定した場合（ステップＳ６：ＮＯ）には、受付処理部１０ａは、ユーザの操作によりキー部２２のスタートボタンが押下されたか否かを判定し（ステップＳ１１）、押下指示があった場合（ステップＳ１１：ＹＥＳ）には、スキャン処理を実行する（ステップＳ１２）一方、押下指示がない場合には、ステップＳ１に戻る。
【００５７】
図４は、本発明の一実施形態に係るスキャン処理のフローチャートである。
【００５８】
スキャン処理においては、画像処理制御部１０ｄは、レイアウト指定（レイアウトチェックボックス３５への指定）があるか否かを判定し（ステップＳ２１）、レイアウト指定がないと判定した場合には、原稿を１ページの画像として取込むことを意味しているので、既に設定してある基準解像度を取込解像度に決定する（ステップＳ２３）。一方、レイアウト指定があると判定した場合には、画像処理制御部１０ｄは、更に、基準解像度がスキャン機能部３の最大解像度であるか否かを判定し（ステップＳ２２）、最大解像度であると判定した場合には、最大解像度を取込解像度に決定する（ステップＳ２３）。
【００５９】
一方、最大解像度でないと判定した場合には、画像処理制御部１０ｄは、設定されているページ数が２ページ又は４ページのいずれであるかを判定する（ステップＳ２４）。
【００６０】
この結果、ページ数が２ページである場合には、画像処理制御部１０ｄは、基準解像度に２１／２を乗算して取込解像度に決定する（ステップＳ２５）一方、ページ数が４ページである場合には、基準解像度に２を乗算して取込解像度に決定する（ステップＳ２６）。
【００６１】
ステップＳ２３、Ｓ２５，又はＳ２６において、取込解像度を決定した後には、画像処理制御部１０ｄは、決定した取込解像度によってスキャン機能部３により原稿の画像を取込ませることにより、原稿に含まれている複数のページの各画像の画像データを取得する（ステップＳ２７）。
【００６２】
次いで、画像処理制御部１０ｄは、レイアウト指定があるか否かを判定し（ステップＳ２８）、レイアウト指定がある場合には、ファイル処理機能部１０ｃに、設定されたページ数と、ページ順序とに従って、各ページの各画像データの画像が１ページとなり、それらがページ順序に従って並ぶ画像ファイルを作成させ、所定の格納位置（例えば、ＵＳＢ／ＩＦ部１９に接続されたＵＳＢメモリ）に格納させる（ステップＳ２９）。これによって、作成された画像ファイルを所定のアプリケーションで開くと、各ページの画像をそのページの順序で確認することができ、また、ページ間に新たなページを挿入することも容易となる。
【００６３】
一方、レイアウト指定がない場合には、画像処理制御部１０ｄは、ファイル処理機能部１０ｃに、読み取った画像データの画像を１ページとする画像ファイルを作成させる（ステップＳ３０）。
【００６４】
上記した画像処理装置によると、ページ数に基づいて、適切な取込解像度を決定して、スキャン機能部３により当該取込解像度で原稿の画像を取込むので、各ページの画像を１ページとした場合であっても当該画像を適切に把握することができる。
【００６５】
次に、本発明の変形例に係る画像処理装置について説明する。
【００６６】
本変形例に係る画像処理装置は、第１実施形態に係る画像処理装置において、原稿から画像を取込む際に、原稿全体の画像を一度に取込むのではなく、各ページの画像毎に取込むようにしたものである。なお、図１に示す画像処理装置と各機能部分は略同様であるので、図１の符号を用いて以下に説明することとする。
【００６７】
図５は、本発明の変形例に係るスキャン処理のフローチャートである。なお、図４に示すフローチャートと同様なステップには、同一の符号を付し、重複する説明を省略する。
【００６８】
ステップＳ２３、Ｓ２５，又はＳ２６において、取込解像度を決定した後には、画像処理制御部１０ｄは、レイアウト指定があるか否かを判定する（ステップＳ３１）。
【００６９】
この結果、レイアウト指定があると判定した場合には、画像処理制御部１０ｄは、ページ数及びページ順序に基づいて、未取込のページ部分であって、最初の順序のページ部分を特定し、スキャン機能部３により、決定した取込解像度により画像を取込ませる（ステップＳ３２）。次いで、画像処理制御部１０ｄは、ファイル処理機能部１０ｃに、取込んだページ部分の画像を１ページとし、当該ページを画像ファイルの既に作成されているページの後に追加させる（ステップＳ３３）。なお、対応する原稿における最初のページの場合には、当該ページを最初のページとする画像ファイルを作成させる。
【００７０】
次いで、画像処理制御部１０ｄは、すべてのページ部分の画像を取込んだか否かを判定し（ステップＳ３４）、全てのページ部分の画像を取込んでいないと判定した場合（ステップＳ３４：ＮＯ）には、ステップＳ３２からの処理を引き続き行う一方、全てのページ部分の画像を取込んだ場合（ステップＳ３４：ＹＥＳ）には、処理を終了する。
【００７１】
一方、レイアウト指定がないと判定された場合（ステップＳ３１：ＮＯ）には、画像処理制御部１０ｄは、スキャン機能部３により、決定した取込解像度により原稿の全画像を取込ませ（ステップＳ３５）、ファイル処理機能部１０ｃに、取込んだ画像を１ページとした画像ファイルを作成させ（ステップＳ３６）、処理を終了する。
【００７２】
上記した変形例に係る画像処理装置によると、スキャン機能部３により、原稿中の１つのページに対応する画像のみを順次取込むようにしているので、ＲＡＭ１２等において必要とされるメモリ量を抑えることができる。
【００７３】
以上、本発明を実施形態に基づいて説明したが、本発明は上述した実施の形態に限られず、他の様々な態様に適用可能である。
【００７４】
例えば、上記実施形態では、画像ファイルを作成する画像処理を例に示していたが、本発明はこれに限られず、例えば、画像形成媒体に画像を形成する画像処理（画像形成処理）においても本発明を適用することができる。画像形成媒体に画像を形成する場合においては、図４に示すステップＳ２９において、画像処理制御部１０ｄが、ページ数及びページ順序に基づいて、プリンタ機能部４により、各画像データの画像をそれぞれ１ページの画像形成媒体にページ順序に従って拡大して形成させるようにすればよい。また、図５に示すステップＳ３３において、画像処理制御部１０ｄが、プリンタ機能部４により、取込んだ画像データの画像を１ページの画像形成媒体に拡大して形成させるようにすればよい。
【００７５】
また、上記実施形態では、２ページ、４ページの画像が１ページに含まれている原稿について、画像形成処理や、画像ファイル作成処理を行う例を示したが、本発明はこれに限られず、より多くのページ数（８、１６、・・・等）の画像が１ページに含まれている原稿についても本発明を適用することができる。
【００７６】
また、上記実施形態では、原稿中のページの画像を取込む際に、原稿の全体を一度に取込むか、又はページ順序に従って１つのページの画像を順次取込むようにしていたが、例えば、原稿のスキャン機能部３のラインセンサの副走査方向について、複数のページの画像がある場合に、これらを複数回に分けて取込むようにしてもよい。このようにすると、全ての画像を取込む場合に比して必要なメモリの量を抑えることができる。この際に、主走査方向については、全てのページの画像を取込むようにしてもよい。このようにすると、スキャン機能部３のラインセンサをホームポジションに戻さずに、次の画像の取込みができる。
【００７７】
また、原稿のスキャン機能部３のラインセンサの主走査方向について、複数のページの画像がある場合に、これらを複数回に分けて取込むようにしてもよい。このようにすると、全ての画像を取込む場合に比して必要なメモリの量を抑えることができる。
【００７８】
また、上記実施形態では、ユーザが設定した情報に基づいて、ページ数と、ページ順序とを特定するようにしていたが、本発明はこれに限られず、例えば、ページ数又はページ順序の少なくとも一方を原稿中の所定の位置にすかし情報として、或いはバーコードとして印刷しておくようにしておき、原稿からこれらを読み取ってページ数又はページ順序の少なくとも一方を特定するようにしてもよい。
【００７９】
また、上記実施形態では、画像処理装置の一例である複合機１に本発明を適用した例を説明したが、本発明はこれに限られず、画像処理装置を複合機とは異なるコンピュータにより実現するようにしてもよい。
【図面の簡単な説明】
【００８０】
【図１】本発明の一実施形態に係る複合機の構成図である。
【図２】本発明の一実施形態に係る主処理のフローチャートである。
【図３】本発明の一実施形態に係る複合機の表示画面を説明する図である。
【図４】本発明の一実施形態に係るスキャン処理のフローチャートである。
【図５】本発明の変形例に係るスキャン処理のフローチャートである。
【符号の説明】
【００８１】
１  複合機、２  制御ユニット、３  スキャナ機能部、４  プリンタ機能部、５  ＦＡＸ機能部、１０  ＣＰＵ、１０ａ  受付処理部、１０ｂ  解像度決定部、１０ｃ  ファイル処理機能部、１０ｄ  画像処理制御部、１１  ＲＯＭ、１２  ＲＡＭ、１３  ＥＥＰＲＯＭ、１４  入力Ｉ／Ｆ部、１５  表示処理部、１６、１７、１８、２０  通信Ｉ／Ｆ部、１９  ＵＳＢＩ／Ｆ部、２１  バス、２２  キー部、２３  タッチパネル、２４  ＬＣＤ。
【図１】
2009194490.tif 000003
【図２】
2009194490.tif 000004
【図３】
2009194490.tif 000005
【図４】
2009194490.tif 000006
【図５】
2009194490.tif 000007